(57)【要約】【課題】  不正な複写を牽制する地紋付きの帳票を作成する際に、デザインの自由度を向上させるとともに、低コスト化を図る。【解決手段】  複写機によるコピー時に消失する基本セキュリティ地紋と、複写機によるコピー時に明瞭に複写される隠しセキュリティ地紋とによってなるセキュリティ地紋を生成し、このセキュリティ地紋と印刷データとを印刷装置６によって印刷して帳票を作成する帳票出力装置１であり、隠しセキュリティ地紋として、各帳票に付された連番、各帳票の配布先の名称、或いは印刷日時等、帳票毎に異なる情報を示す文字列を印刷する。【選択図】図１
2006319994.tif 000002
【特許請求の範囲】
【請求項１】
印刷装置により印刷物を作成させる印刷制御装置において、
複写機による複写が困難な複写時消失紋様と、複写機により複写可能な複写時残存紋様とによってなる複写牽制地紋を生成する地紋生成手段と、
印刷データが複写牽制対象である場合にのみ、前記地紋生成手段により生成された複写牽制地紋を当該印刷データとともに印刷媒体上に印刷させることにより前記印刷物を作成させる制御手段と、
を備えることを特徴とする印刷制御装置。
【請求項２】
複写牽制対象とする印刷データを定義した定義情報を記憶する第１の記憶手段と、
印刷データを印刷する場合に、当該印刷データが前記定義情報で定義された印刷データに該当するか否かを判別する判別手段と、
を備え、
前記制御手段は、前記判別手段により前記印刷データが複写牽制対象であると判別された場合に、前記地紋生成手段により生成された複写牽制地紋を当該印刷データとともに印刷媒体上に印刷させることを特徴とする印刷制御装置。
【請求項３】
前記地紋生成手段は、前記複写牽制地紋の形態、色、印刷開始位置及び印刷サイズの少なくとも１つを変更可能であることを特徴とする請求項１または２に記載の印刷制御装置。
【請求項４】
前記地紋生成手段は、複数の前記印刷物に共通する共通紋様と、印刷物毎に固有の情報を示す可変紋様とからなる複写時残存紋様を含む複写牽制地紋を生成することを特徴とする請求項１〜３のいずれかに記載の印刷制御装置。
【請求項５】
前記印刷装置により作成された印刷物に係る管理情報を記憶する第２の記憶手段をさらに備えることを特徴とする請求項１〜４のいずれかに記載の印刷制御装置。
【請求項６】
複写機による複写が困難な原本証明紋様を、前記複写牽制地紋および前記印刷データとともに前記印刷媒体上に印刷させる原本印刷制御手段と、
この原本印刷制御手段によって、一の前記印刷データについて前記原本証明紋様を印刷する回数を、１回のみに制限する原本印刷制限手段とをさらに備えることを特徴とする請求項１〜５のいずれかに記載の印刷制御装置。
【請求項７】
複写機による複写が困難な正規複写証明紋様を、前記複写牽制地紋および前記印刷データとともに前記印刷媒体上に印刷させる正規複写印刷制御手段と、
この正規複写印刷制御手段により正規複写証明紋様が印刷される前記印刷物に対応する配布先の数を取得する配布先数取得手段と、
前記正規複写印刷制御手段によって、一の前記印刷データについて正規複写証明紋様を印刷する回数を、前記配布先数取得手段により取得された配布先の数以下に制限する印刷制限手段とをさらに備えることを特徴とする請求項１〜６のいずれかに記載の印刷制御装置。
【請求項８】
印刷装置により印刷物を作成させるコンピュータを、
複写機による複写が困難な複写時消失紋様と、複写機により複写可能な複写時残存紋様とによってなる複写牽制地紋を生成する地紋生成手段と、
前記印刷装置によって、印刷データが複写牽制対象である場合にのみ、生成された複写牽制地紋を当該印刷データとともに印刷媒体上に印刷させる制御手段と、
として機能させるためのプログラムを格納したことを特徴とする記録媒体。
【発明の詳細な説明】
【技術分野】
【０００１】
本発明は、不正な目的での複写を牽制する複写牽制地紋付きの帳票を印刷させる印刷制御装置、および、その制御プログラムを格納した記録媒体に関する。
【背景技術】
【０００２】
従来、金券や印鑑証明書等の重要書類には、コピー牽制地紋が印刷された紙が使用されてきた。コピー牽制地紋とは、複写機でコピーする際に一部が消失し、一部のみ再現される紋様であり、例えば、一見して微細な幾何学模様に見えて、コピーすると「複写」という文字が浮かび上がるものが知られている（例えば、特許文献１参照）。
【０００３】
このコピー牽制地紋付きの帳票をコピーすると、明らかに複製と分かるコピーしか得られないので、不正な目的でのコピーを牽制する効果がある。従来、このようなコピー牽制地紋付きの帳票を作成する際には、コピー牽制地紋が既に印刷された用紙を購入し、プリンタにセットしていた。
【特許文献１】特開平１１−１５１８５４号公報
【発明の開示】
【発明が解決しようとする課題】
【０００４】
しかしながら、コピー牽制地紋付きの帳票を作成する場合は、常に専用の用紙を購入しなければならず、安価な用紙で代替することができないため、用紙の低コスト化が難しいという問題があった。
【０００５】
また、コピー牽制地紋付きの用紙に対して専用のプリンタが用意できない場合は、普通紙と、コピー牽制地紋付きの用紙とを入れ替える手間がかかり、作業効率の低下を招くという問題があった。例えば、複数ページの書類のうち特定のページにのみコピー牽制地紋を入れる場合等、文書の一部にのみコピー牽制地紋を入れる場合は、その都度、間違いなく用紙を交換しなければならず、作業効率が著しく低下するという問題があった。コピー牽制地紋が必要な箇所が複数存在する場合や、複数部の帳票を印刷する場合には、作業性が極端に低下するという問題があった。
【０００６】
さらに、コピー牽制地紋付きの紙に印刷された文書や帳票は正式な原本と見なされるので、印刷前のコピー牽制地紋付き用紙は悪用される恐れがあった。このため、印刷前の用紙についても盗難や紛失の対策を講じる必要があり、管理コストの上昇を招いていた。
【０００７】
また、予めコピー牽制地紋のみを印刷した用紙が必要なため、用紙の種類を多くすると管理コストや印刷コスト等のコスト増が著しい。しかしながら、用紙の種類を少なくすると、似通った帳票しか作成できず、デザインが制約を受けるという問題があった。
【０００８】
さらに、コストを抑えるために用紙の種類を少なくすると、コピー時に浮き上がる文字を「複写」、「コピー」、「無効」等、汎用的な文字列にせざるを得ず、用途に応じて異なる文字列を用いることは困難であった。
【０００９】
本発明の課題は、不正な複写を牽制する地紋付きの帳票を作成する際に、デザインの自由度を向上させるとともに、低コスト化を図ることである。
【課題を解決するための手段】
【００１０】
本発明は、このような課題を解決するために、次のような特徴を備えている。なお、次に示す手段の説明中、括弧書きにより実施の形態に対応する構成を一例として示す。符号等は、後述する図面参照符号等である。
【００１１】
請求項１記載の発明は、
印刷装置により印刷物を作成させる印刷制御装置において、
複写機による複写が困難な複写時消失紋様と、複写機により複写可能な複写時残存紋様とによってなる複写牽制地紋を生成する地紋生成手段（例えば、図８に示す処理を行うＣＰＵ２）と、
印刷データが複写牽制対象である場合にのみ、前記地紋生成手段により生成された複写牽制地紋を当該印刷データとともに印刷媒体上に印刷させることにより前記印刷物を作成させる制御手段（例えば、図９に示す処理を行うＣＰＵ２）と、
を備えることを特徴とする。
【００１２】
ここで、複写時消失紋様とは、例えば、複写機の原稿読み取り時の解像度よりも小さいサイズのドットにより構成され、複写機によって完全な再現が不可能、或いは困難な紋様である。また、複写時消失紋様、および複写時残存紋様としては、例えば幾何学的な紋様や、ロゴマークが挙げられるが、文字列であっても良い。さらに、印刷媒体としては、例えば、紙、合成樹脂製のフィルムが挙げられるが、布を用いても良いし、その他、印刷装置によって像を定着させることが可能であれば特に限定されない。
【００１３】
請求項１記載の発明によれば、印刷装置により印刷物を作成させる印刷制御装置において、地紋生成手段によって、複写機による複写が困難な複写時消失紋様と複写機により複写可能な複写時残存紋様とによってなる複写牽制地紋を生成し、生成された複写牽制地紋を、制御手段により、印刷データとともに印刷媒体上に印刷させることにより印刷物を作成させるので、作成された印刷物を複写機でコピーして得られる複製物は、複写時消失紋様が消失し、複写時残存紋様のみが印刷されたものとなる。従って、複写機により得られた複製物は、原本の印刷物とは外見上異なるものとなり、複写したことが明らかになるので、不正な目的での複写が意味をなさない。これにより、不正な目的での複製を牽制し、印刷内容を保護できる。
また、印刷対象の印刷データが複写牽制対象であれば、複写牽制地紋が自動的に印刷されるため、各印刷データの重要性に応じて複写牽制地紋を印刷し、印刷物を管理することができる。
また、専用の用紙等の特殊な印刷媒体を事前に用意する必要がなく、一般的な印刷媒体を使用できるので、重要な印刷物を作成させる場合であっても、印刷前の印刷媒体については厳重に管理する必要が無い。これにより、印刷媒体の低コスト化を図ることができ、さらに、管理コストの低減も図ることができる。また、複写牽制地紋が不要な印刷物と共通の印刷媒体を利用できるので、印刷媒体の交換等の手間を省くことができる。そして、地紋生成手段によって生成した複写牽制地紋を印刷するため、複写牽制地紋の種類を多くしてもコスト増の心配が無いので、状況に応じて所望の複写牽制地紋を利用でき、デザイン上の制約を受けることなく、所望の印刷物を作成できる。
【発明の効果】
【００１４】
請求項１記載の発明の印刷制御装置、および、請求項８記載の記録媒体によれば、複写機により得られた複製物は、原本の印刷物とは外見上異なるものとなり、複写したことが明らかになるので、不正な目的での複写が意味をなさない。これにより、不正な目的での複製を牽制し、印刷内容を保護できる。
また、印刷対象の印刷データが複写牽制対象であれば、複写牽制地紋が自動的に印刷されるため、各印刷データの重要性に応じて複写牽制地紋を印刷し、印刷物を管理することができる。
また、専用の用紙等の特殊な印刷媒体を事前に用意する必要がなく、一般的な印刷媒体を使用できるので、重要な印刷物を作成させる場合であっても、印刷前の印刷媒体については厳重に管理する必要が無い。これにより、印刷媒体の低コスト化を図ることができ、さらに、管理コストの低減も図ることができる。また、複写牽制地紋が不要な印刷物と共通の印刷媒体を利用できるので、印刷媒体の交換等の手間を省くことができる。そして、地紋生成手段によって生成した複写牽制地紋を印刷するため、複写牽制地紋の種類を多くしてもコスト増の心配が無いので、状況に応じて所望の複写牽制地紋を利用でき、デザイン上の制約を受けることなく、所望の印刷物を作成できる。
【００１５】
請求項４記載の発明の印刷制御装置によれば、地紋生成手段は、複数の印刷物に共通する共通紋様と、印刷物毎に固有の情報を示す可変紋様とからなる複写時残存紋様を含む複写牽制地紋を生成するので、例えば、配布先の名称や、印刷日時、印刷物に順次付される連番など、印刷物毎に異なる複写時残存紋様を印刷させることができる。すなわち、印刷物を複写機で複写して得られた複製物には、原本の印刷物毎に異なる複写時残存紋様が印刷されることから、原本となった印刷物を特定でき、不正な目的での複写を強く牽制することができる。
【００１６】
請求項５記載の発明の印刷制御装置によれば、印刷装置により作成された印刷物に係る管理情報、例えば印刷物の文書名や、印刷担当者、印刷日時、印刷後の保管場所等の情報を記憶手段に記憶するので、複写牽制地紋付きの印刷物を容易に管理できる。また、印刷制御装置において管理情報を記憶するので、印刷後に人手で管理を行う場合に比べて、記録のミスや意図的な改変を強固に防止でき、より確実に印刷物を管理できる。
【００１７】
請求項６記載の発明の印刷制御装置によれば、原本印刷制御手段によって、複写機による複写が困難な原本証明紋様を、複写牽制地紋および前記印刷データとともに印刷媒体上に印刷させ、原本印刷制限手段によって、一の前記印刷データについて原本証明紋様を印刷する回数を１回のみに制限するので、原本であることを示す原本証明紋様が印刷された印刷物は一部しか作成されない。これにより、複写牽制地紋と原本証明紋様が印刷された原本そのものの複製が行われない。このため、複写牽制地紋および原本証明紋様によって複写機による複製を牽制する一方で、原本としての印刷物の複製を防止することにより、より一層確実に印刷内容を保護し、信頼性を高めることができる。
【００１８】
請求項７記載の発明の印刷制御装置によれば、正規複写印刷制御手段によって、複写機による複写が困難な正規複写証明紋様を、複写牽制地紋および印刷データとともに前記印刷媒体上に印刷させ、配布先数取得手段により、正規複写証明紋様が印刷される印刷物に対応する配布先の数を取得し、正規複写印刷制御手段によって一の印刷データについて正規複写証明紋様を印刷する回数を、原本印刷制限手段によって、配布先数取得手段により取得された配布先の数以下に制限するので、正規の複写であることを証明する正規複写証明紋様が印刷された印刷物は、その配布先に対応する部数しか印刷されない。これにより、複写牽制地紋と正規複写証明紋様が印刷された印刷物そのものが必要数以上複製されない。このため、複写牽制地紋および正規複写証明紋様によって複写機による複製を牽制する一方で、原本としての印刷物の余分な印刷を防止することにより、より一層確実に印刷内容を保護し、信頼性を高めることができる。
【発明を実施するための最良の形態】
【００１９】
以下、図を参照して本発明の実施の形態を詳細に説明する。
【００２０】
〔第１の実施の形態〕
まず、構成を説明する。
図１は、本発明の第１の実施の形態における帳票出力装置１の構成を示すブロック図である。図１に示すように、帳票出力装置１は、ＣＰＵ（Central Processing Unit ）２、ＲＡＭ（Random Access Memory）３、記憶装置４、記憶装置４が有する記憶媒体５、印刷装置６、表示部７、入力部８および伝送制御部９を備えて構成され、各部はバス１０により接続されている。
【００２１】
ＣＰＵ２は、記憶装置４に記憶されたシステムプログラム、例えばプログラムファイル４ｂ等を読み出して、ＲＡＭ３内のワークエリアに展開して実行し、帳票出力装置１の各部を駆動制御する。また、ＣＰＵ２は、入力部８からの入力指示に従って、記憶装置４内の業務アプリケーションファイル４ａを読み出して実行し、受注・納品管理、請求書や見積書の作成等、入力指示に対応する各種業務処理を実行する。
【００２２】
そして、ＣＰＵ２は、上記業務処理で作成された帳票や、入力部８における入力内容等を表示するための表示情報を生成して表示部７へ出力し、表示部７によって各種画面を表示させる。
【００２３】
また、ＣＰＵ２は、セキュリティ地紋生成処理（図８）を実行してセキュリティ地紋を生成し、生成されたセキュリティ地紋のデータを、セキュリティ地紋データファイル４ｄとして記憶装置４に記憶する。
なお、ここで生成されるセキュリティ地紋とは、帳票出力装置１によって帳票に印刷される地紋であって、基本セキュリティ地紋と、隠しセキュリティ地紋とによって構成される。
【００２４】
このうち、基本セキュリティ地紋は、帳票上の模様として視認でき、かつ、複写機でコピーすると、再現されずに消失する。基本セキュリティ地紋は、例えば取引内容が印字された領域等、帳票の中で指定された領域に印刷される。
一方、隠しセキュリティ地紋は、基本セキュリティ地紋に重ねて所定位置に印刷され、帳票上では基本セキュリティ地紋に紛れて視認が困難であるが、複写機でコピーすると明瞭に複写される。
【００２５】
従って、帳票出力装置１によって印刷されたセキュリティ地紋付きの帳票は、一見して、表面に基本セキュリティ地紋と隠しセキュリティ地紋とによる一様な模様が視認できる。さらに、このセキュリティ地紋付きの帳票を複写機でコピーして得られる複製物には、基本セキュリティ地紋は再現されず、隠しセキュリティ地紋のみが明瞭に複写される。このため、帳票出力装置１により印刷された帳票と、この帳票を複写機でコピーして得られた複製物とは、簡単に見分けられる。
【００２６】
また、ＣＰＵ２は、後述する印刷制御処理を実行し、アプリケーションによって生成された印刷データを印刷データメモリ３ａに格納し、帳票のフォームに関するデータをフォームデータメモリ３ｂに格納する。さらに、帳票毎に個別に設定される個別セキュリティ地紋を生成して、セキュリティ地紋データファイル４ｄのデータと合成して地紋データメモリ３ｃに格納する。そして、印刷データメモリ３ａ、フォームデータメモリ３ｂおよび地紋データメモリ３ｃ内のデータをプリンタドライバへ出力し、印刷装置６によって、セキュリティ地紋付きの帳票を印刷させる。
【００２７】
ＲＡＭ３は、ＣＰＵ２によって実行されるシステムプログラム、各種アプリケーションプログラム、および、これらのプログラムに係るデータを一時的に保持するワークエリアを形成する。また、ＲＡＭ３は、帳票を印刷するためのデータを格納する印刷メモリ３１を備えている。
【００２８】
図２は、印刷メモリ３１の構成を示す図である。図２に示すように、印刷メモリ３１には、印刷データメモリ３ａ、フォームデータメモリ３ｂ、地紋データメモリ３ｃの各メモリエリアが形成される。
【００２９】
印刷データメモリ３ａは、帳票出力装置１により作成される帳票に印刷される取引先名や商品名、金額等の印刷データが格納されるメモリエリアである。
【００３０】
フォームデータメモリ３ｂは、帳票出力装置１により作成される帳票のタイトル、日付記入欄や罫線の印刷位置等、帳票のフォームに関するデータが格納されるメモリエリアである。
【００３１】
地紋データメモリ３ｃは、帳票出力装置１により作成される帳票上のセキュリティ地紋に関するデータが格納されるメモリエリアである。
【００３２】
記憶装置４は、プログラムやデータ等が予め記憶されている記憶媒体５を本発明における記録媒体として有しており、この記憶媒体５は磁気的、光学的記録媒体、若しくは半導体メモリで構成されている。この記憶媒体は記憶装置に固定的に設けたもの、若しくは着脱自在に装着するものであり、この記憶媒体には上記システムプログラムおよび当該システムに対応する各種アプリケーションプログラム、印刷制御処理プログラム、および各処理プログラムで処理されたデータ、文書データ等を記憶する。
【００３３】
また、この記憶媒体５に記憶するプログラム、データ等は、その一部若しくは全部をサーバやクライアント等の他の機器からネットワーク回線等の伝送媒体を介して伝送制御部９から受信して記憶する構成にしてもよく、さらに、記憶媒体５はネットワーク上に構築されたサーバの記憶媒体であってもよい。さらに、前記プログラムをネットワーク回線等の伝送媒体を介してサーバやクライアントへ伝送してこれらの機器にインストールするように構成してもよい。
【００３４】
図３は、記憶装置４内のファイル構成を示す図であり、同図に示すように、記憶装置４内には、業務アプリケーションファイル４ａ、プログラムファイル４ｂ、帳票フォームデータファイル４ｃ、セキュリティ地紋データファイル４ｄ、印刷データファイル４ｅ、セキュリティパターンＡファイル４ｆ、セキュリティパターンＢファイル４ｇ、セキュリティ帳票定義ファイル４ｈ、配布先テーブルファイル４ｉ、連番管理テーブルファイル４ｊ、文書管理ファイル４ｋの各ファイルが記憶されている。
【００３５】
このうち、業務アプリケーションファイル４ａは、帳票出力装置１において、ＣＰＵ２により実行される各種アプリケーションプログラムのファイルであり、例えば、見積書や納品書の作成等の各種業務処理を行うためのアプリケーションプログラム等のファイルである。
また、プログラムファイル４ｂは、ＣＰＵ２によって帳票出力装置１の各部を制御するためのシステムプログラム等のファイルである。
【００３６】
帳票フォームデータファイル４ｃには、帳票出力装置１の印刷装置６によって印刷出力される帳票のフォーム、すなわち、帳票の書式・形式に関するデータが含まれる。例えば、見積書、納品書、請求書等の各帳票について、罫線や、客先名、商品名、金額等の各種情報の印字位置を定めるデータが含まれる。
【００３７】
また、セキュリティ地紋データファイル４ｄには、セキュリティ地紋生成処理（図８）で生成されるセキュリティ地紋に関するデータが含まれる。
さらに、印刷データファイル４ｅは、ＣＰＵ２によって業務アプリケーションファイル４ａが実行された際に生成された帳票印刷用のデータであり、例えば、見積書、納品書、請求書等の各帳票に記載される商品名、金額、取引先名等が含まれる。
【００３８】
セキュリティパターンＡファイル４ｆには、図４（ａ）に示すように、基本セキュリティ地紋として帳票に印刷可能な、複数の模様のデータが含まれる。
図４（ａ）に示す例では、「標準１」、「標準２」の２つの模様のデータが記憶されており、セキュリティ地紋生成処理（図８）では、これら２つの模様のうちいずれかの模様を用いて、基本セキュリティ地紋が生成される。
【００３９】
セキュリティパターンＢファイル４ｇには、図４（ｂ）に示すように、隠しセキュリティ地紋として帳票に印刷される複数の文字列に関するデータが含まれる。図４（ｂ）に示す例では、「標準１」として「複写無効」という文字列が含まれており、この他、「標準２」として「ＣＯＰＹ」という文字列が、「標準３」として「複写禁止」という文字列が含まれる。
【００４０】
セキュリティ地紋生成処理（図８）では、セキュリティパターンＢファイル４ｇ内の、いずれかの文字列をもとに、隠しセキュリティ地紋が生成される。
【００４１】
なお、隠しセキュリティ地紋の模様については、特に限定されるものではなく、所望の模様を用いることが可能であるが、本実施の形態においては一例として、図４（ｃ）に示す模様が使用されるものとする。
【００４２】
図５は、セキュリティ帳票定義ファイル４ｈの構成例を示す図である。この図５に示すように、セキュリティ帳票定義ファイル４ｈは、印刷装置６によって帳票にセキュリティ地紋を印刷するための各種データで構成される。
図５に示す例では、項目「DEV 」には使用するプリンタ名が設定され、項目「NAME」には帳票名が設定されている。また、項目「FORM」には帳票のフォーム名が設定され、項目「SEQ-FORM」には、セキュリティ地紋データが設定されたセキュリティ地紋データファイル４ｄのファイル名が設定されている。
【００４３】
さらに、図５に示すように、セキュリティ帳票定義ファイル４ｈには、印刷制御処理（図９〜図１２）で設定される個別セキュリティ地紋に関するデータが含まれる。
【００４４】
図５に示す例では、セキュリティ帳票定義ファイル４ｈの項目「SEQ-DT」には、個別セキュリティ地紋のタイプが設定される。
本第１の実施の形態においては、個別セキュリティ地紋のタイプとして、図５の欄外に示すように、配布先名に基づいて生成する場合を示す「$HAIHU」、システムの日付に基づいて生成する場合を示す「$SYS#DATE 」、帳票の通し番号に基づいて生成する場合を示す「$NUMBER 」の３タイプが設定可能である。
【００４５】
その他、セキュリティ帳票定義ファイル４ｈに含まれるデータとして、項目「SEQ-PATb」には個別セキュリティ地紋の形態や色が設定され、項目「DT-START」には個別セキュリティ地紋の印刷開始位置が設定され、項目「DT-SIZE 」には個別セキュリティ地紋の印刷サイズが設定される。なお、本実施の形態では、項目「SEQ-PATb」に設定される個別セキュリティ地紋の形態としては、図４（ｃ）に示す模様の１種類のみが用いられるものとして説明する。
【００４６】
さらに、図５の欄外に示すように、セキュリティ帳票定義ファイル４ｈのファイル名は、帳票名に所定の拡張子を付して「帳票名．Ｓｅｑｄｅｆ」となる。すなわち、セキュリティ帳票定義ファイル４ｈは、各帳票の名称に対応する名称で、帳票毎に生成され、記憶装置４に記憶される。
【００４７】
配布先テーブルファイル４ｉには、図６（ａ）に示すように、帳票名と、配布先と、配布数とが対応づけられたデータが含まれる。図６（ａ）に示す例では、「mitumori1 」という帳票に対応する配布先は「▲▲▲工業」であり、配布数は１部のみである。また、「kikaku1 」という帳票の配布先は「○○部長，××課長，△△係長，□□氏」であって、配布数は４部である。さらに、「kikaku2 」という帳票の配布先は「○×部長，△○課長，□○係長」であって、配布数は３部と設定されている。
【００４８】
また、図６（ｂ）に示すように、連番管理テーブルファイル４ｊには、帳票名と、最終の連番とが対応づけられたデータが含まれる。ここで、連番とは、各帳票を印刷する際に、帳票毎に付される通し番号であり、連番管理テーブルファイル４ｊには、連番の最後の番号が設定される。
図６（ｂ）に示す例では、「c-list1 」という帳票の最終の連番は「02103 」である。つまり、「1 」から「02103 」までの通し番号が既に付与されているので、既に印刷された枚数は２１０３枚である。同様に、帳票名「c-list2 」の帳票は、既に１９２枚印刷されていることがわかる。なお、連番管理テーブルファイル４ｊにおける最終連番は、帳票が印刷され、新たな番号が付与される毎に更新される。
【００４９】
図１に示す印刷装置６は、レーザプリンタ、インクジェット式プリンタ、昇華型プリンタ等のプリンタを備え、ＣＰＵ２の制御に従って上記プリンタを駆動制御し、各種帳票を印刷出力させる。なお、上記プリンタの印刷方式については限定されないが、セキュリティ地紋程度の解像度で印刷可能なものが望ましい。また、本実施の形態ではカラー印刷が可能なプリンタを備えるものとして説明するが、単色の印刷のみ可能なものであっても良い。
【００５０】
表示部７は、ＣＲＴ（Cathode Ray Tube）やＬＣＤ（液晶表示画面）等の表示画面を備え、ＣＰＵ２から入力される表示情報に従って上記表示画面を駆動制御し、各種画面を表示させる。
【００５１】
入力部８は、数字キー、文字キーや各種機能キーを有するキーボードを備え、操作されたキーに対応する操作信号を生成してＣＰＵ２へ出力する。また、入力部８は、マウスやタブレット、タッチパッド等のポインティングデバイスを備える構成としても良く、この場合、入力部８は、上記ポインティングデバイスの操作に対応する操作信号とともに、その操作により指定された相対位置座標を示す信号を生成し、ＣＰＵ２へ出力する。
【００５２】
伝送制御部９は、モデム（ＭＯＤＥＭ：MOdulator/DEModulator ）またはターミナルアダプタ（ＴＡ：Terminal Adapter）等によって構成され、電話回線、ＩＳＤＮ回線等の通信回線を介して外部機器との通信を行うための制御を行う。モデムは、電話回線を介してパーソナルコンピュータ等の外部機器との通信を行うために、ＣＰＵによって処理されたデジタルデータを電話回線の周波数帯域に適合するアナログ信号に変調し、また、電話回線を介して入力されたアナログ信号をデジタル信号に復調する装置であり、ターミナルアダプタは、ＩＳＤＮ回線を介してパーソナルコンピュータ等の外部機器との通信を行うために、既存のインタフェースをＩＳＤＮに対応するインタフェースに変換する装置である。
【００５３】
図７は、帳票出力装置１の動作と記憶装置４内の各ファイルとの関連を示す図である。なお、同図において、符号Ａで示す業務アプリケーション、符号Ｂで示す印刷制御プログラム、符号Ｃで示すフォーム定義プログラム、符号Ｄで示す個別セキュリティ地紋生成プログラム、および、符号Ｅで示すプリンタドライバは、それぞれ、各段階でＣＰＵ２により実行されるプログラムを示す。
【００５４】
まず、ＣＰＵ２によって、符号Ａで示す業務アプリケーションが実行され、業務アプリケーションの処理データをもとに印刷ジョブが発生すると、ＣＰＵ２は、符号Ｂで示す印刷制御プログラムを実行する。
【００５５】
印刷制御プログラムの実行により、入力部８における入力指示に従って、符号Ｃで示すフォーム定義プログラムが実行され、セキュリティパターンＡファイル４ｆおよびセキュリティパターンＢファイル４ｇをもとに、帳票フォームデータファイル４ｃ、セキュリティ地紋データファイル４ｄが生成される。
【００５６】
また、印刷制御プログラムの実行時には、配布先テーブルファイル４ｉ、連番管理テーブルファイル４ｊおよびセキュリティパターンＢファイル４ｇをもとに、符号Ｄで示す個別セキュリティ地紋生成プログラムが実行される。
【００５７】
そして、印刷制御プログラムにおいて、帳票フォームデータファイル４ｃ、セキュリティ地紋データファイル４ｄ、印刷データファイル４ｅ、セキュリティ帳票定義ファイル４ｈ、および、個別セキュリティ地紋生成プログラムの処理で得られたデータをもとに、印刷用のデータが生成され、符号Ｅで示すプリンタドライバへ出力される。その後、符号Ｅで示すプリンタドライバの処理により、印刷制御プログラムで生成されたデータに基づいて印刷装置６が駆動制御され、帳票が印刷出力される。
【００５８】
次に、ＣＰＵ２により実行されるセキュリティ地紋生成処理、および、印刷制御処理について、図８〜図１２に示すフローチャートに基づいて説明する。
ここで、これらのフローチャートに記述されている各機能を実現するためのプログラムは、読み取り可能なプログラムコードの形態で記録媒体に格納されており、ＣＰＵ２はこのプログラムコードに従った動作を逐次実行する。また、ＣＰＵ２は伝送媒体を介して伝送されてきた上述のプログラムコードにしたがった動作を逐次実行することもできる。すなわち、記録媒体の他、伝送媒体を介して外部供給されたプログラム／データを利用してこの実施形態特有の動作を実行することもできる。
【００５９】
図８は、ＣＰＵ２によって実行されるセキュリティ地紋生成処理を示すフローチャートである。
まず、入力部８における入力操作により、基本セキュリティ地紋の模様パターン、色、印刷開始位置、印刷サイズ（Ｘ方向のサイズ、Ｙ方向のサイズ）が入力されると、ＣＰＵ２は、入力されたデータを、それぞれSEQ-PATa，IRO ，START ，XSIZE ，YSIZE として、ＲＡＭ３に一時的に格納する（ステップＳ１１）。
【００６０】
続いて、ＣＰＵ２は、ＲＡＭ３内のSEQ-PATaのデータをキーとして、セキュリティパターンＡファイル４ｆから対応する地紋のパターンを読み出し、PATaとして記憶する（ステップＳ１２）。
【００６１】
ＣＰＵ２は、更に、ＲＡＭ３内のIRO のデータに合わせて印刷色を設定し、印刷開始の始点をSTART の位置に設定し、Ｘ方向およびＹ方向の印刷サイズを、それぞれXSIZE ，YSIZE の入力値に設定して、これらの設定値をもとに基本セキュリティ地紋のデータを生成し、印刷メモリ３１の地紋データメモリ３ｃに格納する（ステップＳ１３）。
【００６２】
その後、ＣＰＵ２は、基本セキュリティ地紋に関する入力が完了したか否かをオペレータに確認し（ステップＳ１４）、終了した旨の入力指示があった場合はステップＳ１５へ移行し、終了していない旨の入力指示があった場合は、ステップＳ１１へ戻る。
【００６３】
ステップＳ１５においては、入力部８における入力操作により、隠しセキュリティ地紋の模様パターン、色、印刷開始位置、印刷サイズ（Ｘ方向のサイズ、Ｙ方向のサイズ）が入力され、ＣＰＵ２は、入力されたデータを、それぞれSEQ-PATb，IRO ，START ，XSIZE ，YSIZE として、ＲＡＭ３に一時的に格納する。
なお、ここで、印刷色、すなわちIRO については、ステップＳ１１における基本セキュリティ地紋に関する入力値と同じものとしても良い。
【００６４】
続いて、ＣＰＵ２は、ＲＡＭ３内のSEQ-PATbのデータをキーとして、セキュリティパターンＢファイル４ｇから対応する地紋のパターンを読み出し、PATbとして記憶する（ステップＳ１６）。
【００６５】
ＣＰＵ２は、更に、ＲＡＭ３内のIRO のデータに合わせて印刷色を設定し、印刷開始の始点をSTART の位置に設定し、Ｘ方向およびＹ方向のサイズを、それぞれXSIZE ，YSIZE の入力値に設定し、これらの設定値をもとに、基本セキュリティ地紋のデータを生成する。そして、生成したデータを地紋データメモリ３ｃに格納する（ステップＳ１７）。
【００６６】
その後、ＣＰＵ２は、隠しセキュリティ地紋に関する入力が完了したか否かをオペレータに確認し（ステップＳ１８）、終了した旨の入力指示があった場合はステップＳ１９へ移行し、終了していない旨の入力指示があった場合は、ステップＳ１５へ戻る。
【００６７】
そして、ＣＰＵ２は、地紋データメモリ３ｃに格納されたデータを、セキュリティ地紋データファイル４ｄ、すなわち、帳票名（CYO-ID）.Sjimon ファイルに出力し（ステップＳ１９）、本処理を終了する。
【００６８】
図９は、ＣＰＵ２により実行される印刷制御処理を示すフローチャートである。図９において、まず、ＣＰＵ２は、印刷する帳票名を、CYO-IDとして取得する（ステップＳ２１）。
【００６９】
続いて、ＣＰＵ２は、ステップＳ２１で取得したCYO-IDをもとに、CYO-ID.Seqdef ファイル、すなわち、取得した帳票名に対応するセキュリティ帳票定義ファイル４ｈの読み込みを行う（ステップＳ２２）。
【００７０】
ここで、対応するセキュリティ帳票定義ファイル４ｈが存在しない場合は（ステップＳ２３；Ｎｏ）、ＣＰＵ２は、セキュリティ地紋を付けない通常の印刷処理を実行し（ステップＳ２４）、本処理を終了する。
【００７１】
また、対応するセキュリティ帳票定義ファイル４ｈが存在する場合は（ステップＳ２３；Ｙｅｓ）、セキュリティ帳票定義ファイル４ｈからDEV ，NAME，FORM，SEQ-FORM，SEQ-DT，SEQ-PATb，DT-START，DT-SIZE 等の各設定項目のデータを取得する（ステップＳ２５）。
【００７２】
続いて、ＣＰＵ２は、印刷部数を取得して、変数PR#CNTとして設定する（ステップＳ２６）。ここで、印刷部数は、帳票名をもとに記憶装置４内の配布先テーブルファイル４ｉを検索し、配布数を印刷部数として取得しても良いし、或いは、入力部８において指示入力された数を印刷部数としても良い。
【００７３】
続いて、ＣＰＵ２は、ステップＳ２５で取得したSEQ-FORMの設定値に基づいてセキュリティ地紋データを取得し、地紋データメモリ３ｃに格納する（ステップＳ２７）。
【００７４】
例えば、セキュリティ帳票定義ファイル４ｈが、図５に示すように構成される場合、ＣＰＵ２は、ステップＳ２５で、SEQ-FORMに設定された「mitumori.Sjimon 」というファイル名を取得する。そして、ステップＳ２７では、「mitumori.Sjimon 」というファイル名のファイルを検索し、検索したファイルのデータを地紋データメモリ３ｃに格納させる。
【００７５】
さらに、ＣＰＵ２は、ステップＳ２５で取得したFORMの設定値に基づいてフォームデータを取得して、フォームデータメモリ３ｂに格納する（ステップＳ２８）。例えば、セキュリティ帳票定義ファイル４ｈが図５に示す構成の場合、ＣＰＵ２は、ステップＳ２５でファイル名「mitumori1.Form」を取得する。そして、ステップＳ２８では、ファイル名「mitumori1.Form」のファイルを検索し、検索したファイルのデータをフォームデータメモリ３ｂに格納させる。
【００７６】
その後、ＣＰＵ２は、印刷ジョブを生成した業務アプリケーションによって生成されたデータを取得して、印刷データメモリ３ａに格納させる（ステップＳ２９）。
【００７７】
ＣＰＵ２は、ステップＳ２５で取得したSEQ-DTの設定値に従って個別セキュリティ地紋生成処理（図１０〜１２）を実行して、生成された個別セキュリティ地紋を地紋データメモリ３ｃに格納する（ステップＳ３０）。
【００７８】
その後、ＣＰＵ２は、PR#CNTの値をデクリメント（−１）し（ステップＳ３１）、続いて、印刷メモリ３１の印刷データメモリ３ａ、フォームデータメモリ３ｂ、および地紋データメモリ３ｃ内のデータを合成して帳票印刷用のデータを生成し、プリンタドライバへ出力する（ステップＳ３２）。
【００７９】
そして、ＣＰＵ２は、印刷メモリ３１を初期化し（ステップＳ３３）、PR#CNTの値が０（零）になったか否かを判別する（ステップＳ３４）。ここで、PR#CNTが０になっていなければステップＳ２７に戻って処理を続行する。また、PR#CNTの値が０になっていれば、印刷すべき全ての帳票について処理が行われたので、本処理を終了する。従って、図９に示す印刷制御処理は、PR#CNTの値、すなわち印刷部数が０になるまで実行された後、終了する。
【００８０】
続いて、図１０〜図１２を参照して、図９のステップＳ３０で実行される個別セキュリティ地紋生成処理について、詳細に説明する。
図１０は、連番を利用して個別セキュリティ地紋を生成する場合の処理を示すフローチャートである。この図１０に示す処理は、セキュリティ帳票定義ファイル４ｈのSEQ-DTの設定値が「$NUMBER 」であった場合に実行される。
【００８１】
図１０において、ＣＰＵ２は、まず、連番管理テーブルファイル４ｊの内容を取得して、NUMBERとして、一時的に記憶する（ステップＳ４１）。
そして、ステップＳ１６（図８）で記憶された地紋パターンのPATbを用いて、NUMBERとして記憶された数字列の地紋を生成し、生成された地紋をPATb#NO として記憶する（ステップＳ４２）。
【００８２】
続いて、ＣＰＵ２は、セキュリティ帳票定義ファイル４ｈを参照して、DT#STARTの設定値を取得し、START として記憶する（ステップＳ４３）。
【００８３】
その後、ＣＰＵ２は、ステップＳ４３で取得したSTART の位置に、PATb#NOとして記憶した地紋を印刷出力するためのデータを生成し、地紋データメモリ３ｃに格納する（ステップＳ４４）。
【００８４】
以上のように、図１０に示す処理により、図９の印刷制御処理では、各帳票に固有の連番が隠しセキュリティ地紋の一部として印刷される。
【００８５】
図１１は、配布先の名称を利用して個別セキュリティ地紋を生成する場合の処理を示すフローチャートである。この図１１に示す処理は、セキュリティ帳票定義ファイル４ｈのSEQ-DTの設定値が「$HAIHU」であった場合に実行される。
【００８６】
図１１において、ＣＰＵ２は、まず、セキュリティ帳票定義ファイル４ｈのNAMEの設定値を取得し、一時的に記憶する（ステップＳ５１）。次いでＣＰＵ２は、取得したNAMEをキーとして配布先テーブルファイル４ｉを検索し、対応する配布先名称の文字列を取得し、HAIHU#STR として記憶する（ステップＳ５２）。なお、HAIHU#STR は、全ての配布先の名称を含む文字列である。
【００８７】
そして、ＣＰＵ２は、HAIHU#STR の中から、PR#CNT番目の文字列を切り出し、HAIHU として記憶する（ステップＳ５３）。これにより、現在処理中の帳票に対応する配布先名称のみが抽出される。
【００８８】
ＣＰＵ２は、ステップＳ１６（図８）で記憶された地紋パターンのPATbを用いて、NAMEとして記憶された文字列の地紋を生成して、PATb#HAIHUとして記憶する（ステップＳ５４）。
【００８９】
続いて、ＣＰＵ２は、セキュリティ帳票定義ファイル４ｈを参照して、DT#STARTの設定値を取得し、START として記憶する（ステップＳ５５）。
【００９０】
ＣＰＵ２は、ステップＳ５５で取得したSTART の位置にPATb#HAIHUの地紋を印刷出力するためのデータを生成し、地紋データメモリ３ｃに格納する（ステップＳ５６）。
【００９１】
以上のように、図１１に示す処理によって、図９の印刷制御処理で、各帳票に対応する配布先の名称が隠しセキュリティ地紋の一部として印刷される。
【００９２】
図１２は、システム日付を利用して個別セキュリティ地紋を生成する場合の処理を示すフローチャートである。図１２に示す処理は、セキュリティ帳票定義ファイル４ｈのSEQ-DTの設定値が「$SYS#DATE 」であった場合に実行される。
【００９３】
図１２において、ＣＰＵ２は、まず、帳票出力装置１のシステム日付を取得して、SYS#DATEとして、一時的に記憶する（ステップＳ６１）。
また、ＣＰＵ２は、帳票出力装置１のシステム時刻を取得して、SYS#TIMEとして記憶する（ステップＳ６２）。
【００９４】
そして、ＣＰＵ２は、ステップＳ１６（図８）の地紋パターンのPATbを用いて、SYS#DATE、および、SYS#TIMEの文字列の地紋を生成し、生成された地紋をPATb#DATETIME として記憶する（ステップＳ６３）。
【００９５】
続いて、ＣＰＵ２は、セキュリティ帳票定義ファイル４ｈを参照して、DT#STARTの設定値を取得し、STARTとして記憶する（ステップＳ６４）。
【００９６】
ＣＰＵ２は、ステップＳ６４で取得したSTART の位置に、PATb#DATETIME として記憶した地紋を印刷出力するためのデータを生成し、地紋データメモリ３ｃに格納する（ステップＳ６５）。
【００９７】
以上のように、図１２に示す処理によって、図９の印刷制御処理では、各帳票に処理時の日付および時刻が隠しセキュリティ地紋の一部として印刷される。
【００９８】
図１３は、本実施の形態におけるセキュリティ地紋の例を示す図であり、（ａ）は印刷されたセキュリティ地紋の例を示し、（ｂ）は複写機によってコピーされた状態を示す。
【００９９】
図１３（ａ）に示す例では、枠内全体に基本セキュリティ地紋１０１が印刷されており、その中に、さらに「無効」という文字列の隠しセキュリティ地紋１０２が印刷されている。
なお、この図１３（ａ）に示す例では、説明の便宜のために基本セキュリティ地紋１０１と隠しセキュリティ地紋１０２とが目視で識別できるように図示しているが、実際に印刷出力される帳票では目視による判別は困難であり、「無効」という文字列があると認識することも難しくなる。
【０１００】
図１３（ａ）に示す基本セキュリティ地紋１０１、および、隠しセキュリティ地紋１０２は、複写機によるコピーの後に図１３（ｂ）に示すように変化する。
すなわち、複写機によるコピーで基本セキュリティ地紋１０１が消失する一方、隠しセキュリティ地紋１０２は、同図（ａ）に示す原本よりも明瞭に印刷される。
【０１０１】
図１４は、図１３（ａ）に示すセキュリティ地紋を一部拡大した図である。この図１４に示すように、基本セキュリティ地紋１０１は、微細なドットと空白とで構成される。一方、隠しセキュリティ地紋１０２は、基本セキュリティ地紋１０１を構成するドットに比べて大きいドットと、空白とによって構成される。
【０１０２】
基本セキュリティ地紋１０１を構成するドットは、一般的な複写機の解像度よりも小さなサイズであり、複写機による読み取りが不可能か、又は非常に困難なため、複写機によるコピーでは再現されない。
しかしながら、基本セキュリティ地紋１０１は数多くのドットで構成されるため、原本となる帳票上には、何らかの模様や色が視認できる。
【０１０３】
一方、隠しセキュリティ地紋１０２を構成するドットは複写機の解像度に適合し、複写機によって容易に読み取り・再現できる。このため、コピー時には明瞭に印刷される。しかしながら、コピー前の状態では、基本セキュリティ地紋１０１と重なっているため、目視で認識することは難しい。
【０１０４】
また、隠しセキュリティ地紋を構成する空白が微細であり、複写機の解像度よりも小さなサイズであった場合、隠しセキュリティ地紋の空白を複写機で読み取って再現することが困難になる。この場合、隠しセキュリティ地紋は、ドットが再現される一方で空白が再現されないため、原本よりも濃く印刷される。
【０１０５】
従って、セキュリティ地紋付きの帳票をコピーすると、基本セキュリティ地紋１０１が消失し、隠しセキュリティ地紋１０２がコピー元の原本よりも濃く印刷され、結果として全く異なる帳票が作成される。この帳票はコピーによる複製物であることが明らかなので、不正目的のコピーを牽制できる。
【０１０６】
続いて、帳票出力装置１により印刷出力される帳票として、見積書を例に挙げて図示する。
図１５は、見積書の作成時に、印刷メモリ３１のフォームデータメモリ３ｂに格納されるフォームデータの例を示す図である。図１５に示すように、フォームデータには、帳票の罫線位置や日付の印刷位置等、見積書の形式に関するデータが含まれている。
【０１０７】
図１６には、見積書作成時に印刷メモリ３１の地紋データメモリ３ｃに格納されるセキュリティ地紋の例を示す。
図１６に示すセキュリティ地紋は、図中、符号Ｆで示す基本セキュリティ地紋と、符号ＧおよびＨで示す隠しセキュリティ地紋とによって構成される。
隠しセキュリティ地紋は、符号Ｇで示す「複写無効」と、符号Ｈで示す「▲▲▲工業」との２つの文字列である。このうち、「複写無効」の文字列は、セキュリティパターンＢファイル４ｇ（図４（ｂ））から選択されたものである。また、「▲▲▲工業」の文字列は、配布先テーブルファイル４ｉ（図６（ａ））に、帳票名「mitumori1 」に対応づけて設定された配布先名である。
【０１０８】
つまり、符号Ｇで示す隠しセキュリティ地紋は、指示入力により選択されれば全ての帳票に使用可能であり、一方、符号Ｈで示すセキュリティ地紋は、「mitumori1 」という名称の見積書に固有の、個別セキュリティ地紋である。
【０１０９】
そして、図１５に示すフォームデータと、図１６に示すセキュリティ地紋とを合成すると、図１７に示すような合成フォームが得られる。
図１７に示す合成フォームは、見積書において、商品名や価格等が記載される領域にのみセキュリティ地紋が配された帳票のフォームである。このため、図１７に示す合成フォームによれば、商品名や価格等のデータが記載された部分について、コピーを牽制することができる。
【０１１０】
次に、印刷メモリ３１の印刷データメモリ３ａに格納される印刷データを図１８に示す。図１８に示すように、印刷データメモリ３ａには、商品名や価格等、業務アプリケーションにより生成され、帳票に印刷されるべきデータが含まれている。
【０１１１】
図１９は、図１７に示す合成フォームと、図１８に示す印刷データとに基づいて得られる帳票の例を示す図である。見積書の形式をとっているが、金額や商品名が記載された部分には、セキュリティ地紋が印刷されている。
【０１１２】
図１９に示す帳票を複写機によってコピーすると、図２０に示すように、隠しセキュリティ地紋として印刷されていた「複写無効」および「▲▲▲工業」の文字列が明瞭に現れる。
従って、複写機によるコピーでは、帳票出力装置１により作成された帳票の原本とは全く異なるコピーしか得られないため、不正なコピーを牽制できる。
【０１１３】
図２１には、帳票出力装置１により印刷される帳票として、顧客リストを例示する。図２１（ａ）および（ｂ）に示す顧客リストには、隠しセキュリティ地紋として「複写禁止」と印刷されており、さらに、個別セキュリティ地紋生成処理（図１１）で生成された配布先の名称の地紋が、それぞれ「鈴木Ｂ」、「山田Ｋ」と印刷されている。
【０１１４】
図２１（ａ）に示す顧客リストをコピーすると、図２２に示すように、「鈴木Ｂ」という隠しセキュリティ地紋が現れる。この隠しセキュリティ地紋は、各帳票の配布先の名称であり、このコピーは「鈴木Ｂ」宛に配布された資料がコピーされたものであることが明らかである。
【０１１５】
すなわち、帳票毎に異なる配布先名称を隠しセキュリティ地紋として印刷すれば、帳票がコピーされた場合に、コピー元の原本として使用された帳票の配布先を特定できる。従って、不正なコピーを、より強く牽制することができる。
また、上記個別セキュリティ地紋生成処理（図１０〜図１２）において、システム日付や帳票の連番が隠しセキュリティ地紋として印刷された場合は、同様に、コピーの原本となった帳票の印刷年月日や、連番を特定できる。
【０１１６】
以上のように、本発明の第１の実施の形態における帳票出力装置１によれば、ＣＰＵ２によって、セキュリティ地紋生成処理（図８）を実行することにより、記憶装置４内に記憶されたセキュリティパターンＡファイル４ｆ、セキュリティパターンＢファイル４ｇおよびセキュリティ帳票定義ファイル４ｈにおける設定内容をもとに、コピー時に消失する基本セキュリティ地紋と、コピー時に明瞭に複写される隠しセキュリティ地紋とを含むセキュリティ地紋を生成して地紋データメモリ３ｃに格納し、印刷制御処理（図９）によって、印刷データメモリ３ａ内の印刷データと、フォームデータメモリ３ｂのフォームデータと、地紋データメモリ３ｃ内のセキュリティ地紋とを印刷装置６によって印刷させ、帳票を作成させる。
【０１１７】
これにより、印刷データと、セキュリティ地紋とが印刷された帳票を容易に作成することができる。作成された帳票を複写機でコピーすると、得られる複製物には、基本セキュリティ地紋が複写されず、隠しセキュリティ地紋が明瞭に複写されており、一見して原本の帳票とは異なるものとなる。このため、不正な目的で複写を図っても意味を為さないので、不正な複写を牽制することができる。
【０１１８】
また、セキュリティ地紋を印刷装置６によって印刷するので、セキュリティ地紋が付かない通常の帳票を印刷する場合と、セキュリティ地紋付きの帳票を印刷する場合とで共通の印刷用紙を使用できる。このため、印刷用紙のコスト減を図ることができ、また、多様なデザインの印刷用紙を用いることで、セキュリティ地紋が付いていながら、デザイン性に富む帳票を容易に作成できる。また、通常の帳票とセキュリティ地紋付きの帳票とを交互に印刷するような場合であっても、印刷用紙の交換等の手間を省き、作業効率の向上を図ることができる。
【０１１９】
さらに、隠しセキュリティ地紋として、汎用的な「複写」、「無効」等の文字列の他に、配布先の名称、連番管理テーブルファイル４ｊに設定された各帳票毎の連番、印刷日時等、各帳票に固有の情報を印刷することができる。すなわち、帳票出力装置１によって作成された帳票を複写機でコピーして得られた複製物には、原本となった帳票毎に異なる隠しセキュリティ地紋が印刷されるため、原本となった帳票を特定でき、不正な目的でのコピーを強く牽制することができる。
【０１２０】
なお、上記第１の実施の形態においては、隠しセキュリティ地紋および個別セキュリティ地紋に用いる模様は、図４（ｃ）に示す１種類のみとしたが、本発明はこれに限定されるものではなく、図４（ｂ）に示すセキュリティパターンＢファイル４ｇに複数の模様が設定され、これら複数の模様の中から所望の模様が指定できる構成としても良い。
【０１２１】
また、図９に示す印刷制御処理においては、各帳票を１枚毎に印刷処理する構成としたが、複数ページで構成される帳票について処理を行うことも可能である。この場合、１ページ毎にセキュリティ地紋を生成する構成とすれば、各ページ毎に異なる多彩なセキュリティ地紋を設定できる他、セキュリティ地紋付きのページと、セキュリティ地紋が無いページとが混在した帳票であっても、速やかに印刷が行える。
【０１２２】
〔第２の実施の形態〕
次に、本発明の第２の実施の形態について説明する。本第２の実施の形態では、帳票出力装置１により、原本して利用される帳票と、正規の複写として利用される帳票との２種類の帳票が印刷出力される。
【０１２３】
なお、本第２の実施の形態において、上記第１の実施の形態における帳票出力装置１と同様の構成によってなる部分については、同符号を付して図示および説明を省略する。
【０１２４】
図２３は、本発明の第２の実施の形態における文書管理ファイル４ｋの構成を示す図である。図２３に示すように、文書管理ファイル４ｋには、帳票名と、各帳票が更新された最終更新日時とが対応づけて設定されている。さらに、文書管理ファイル４ｋには、帳票が印刷出力された日時、出力を行った担当者名、出力区分、出力された帳票の保管場所、保管担当者名、出力目的、印刷カウントが、それぞれ設定される。
【０１２５】
なお、印刷区分としては「１」又は「２」の数値が設定される。印刷区分「１」は原本の印刷を示し、印刷区分「２」は、正規の複本の印刷を示す。
また、印刷カウントは、印刷した部数を示し、例えば、２部まとめて印刷した場合は「２」と設定される。
【０１２６】
例えば、図２３中、上から３番目のレコードは、出力担当者「山田太郎」が、「２０００年３月３０日  午後１時３４分」に、「正規の複写」を「２部」印刷したことを示している。
【０１２７】
図２４は、本第２の実施の形態におけるセキュリティ帳票定義ファイル４ｈの構成を示す図である。
同図に示すように、セキュリティ帳票定義ファイル４ｈには、プリンタ名、帳票名、フォームの名称、セキュリティ地紋データ名等が設定されている。
【０１２８】
また、セキュリティ帳票定義ファイル４ｈには、帳票出力装置１により、原本の帳票、および、正規の複写としての帳票を印刷するためのデータが、それぞれ含まれている。
【０１２９】
例えば、図２４に示すセキュリティ帳票定義ファイル４ｈにおいては、プリンタ名が設定される項目「DEV 」、帳票名が設定される項目「NAME」、フォームの名称が設定される「FORM」、および印刷制御プログラム、セキュリティ地紋データファイルのファイル名が設定される「SEQ-FORM」の各項目のデータが含まれる。
【０１３０】
更に、原本印刷に係るデータとして、項目「GEN-PR」には、原本の証明として帳票に印刷される原本証明の文字列が設定され、項目「GEN-PR-MEN」には、原本証明を印刷する印刷面が設定され、項目「GEN-PR-COLOR」には、原本証明の印刷色が設定され、項目「GEN-PR-FONT 」には原本証明のフォントが設定され、さらに、項目「GEN-PR-START」には原本証明の印刷開始位置が設定されている。
【０１３１】
また、セキュリティ帳票定義ファイル４ｈには、正規の複写印刷に係るデータとして、項目「COP-PR」には、正規複写の証明として帳票に印刷される正規複写証明の文字列が設定され、項目「COP-PR-MEN」には、正規複写証明を印刷する印刷面が設定され、項目「COP-PR-COLOR」には、正規複写証明の印刷色が設定され、項目「COP-PR-FONT 」には正規複写証明のフォントが設定され、さらに、項目「COP-PR-START」には正規複写証明の印刷開始位置が設定されている。
【０１３２】
従って、セキュリティ帳票定義ファイル４ｈに設定された各項目のデータに基づいて、原本としての帳票には原本証明の文字列を印刷し、正規の複写としての帳票には、正規複写証明の文字列を印刷することができる。
【０１３３】
続いて、本第２の実施の形態の動作について、説明する。
図２４は、印刷制御処理を示すフローチャートである。図２４においては、まず、入力部８の操作によって印刷対象となる帳票名が入力されるので、ＣＰＵ２は、帳票名をCYOUHYO としてＲＡＭ３に記憶する（ステップＳ１０１）。
【０１３４】
続いて、原本を印刷するか、或いは正規複写を印刷するかを示す印刷種別が入力されるので、ＣＰＵ２は、入力された種別をSYUBETSUとしてＲＡＭ３に記憶する（ステップＳ１０２）。
【０１３５】
次に、出力担当者名が入力されると、ＣＰＵ２は、入力内容をP-TANTOUとしてＲＡＭ３に記憶する（ステップＳ１０３）。
【０１３６】
その後、同様に、ＣＰＵ２は、保管場所が入力されると入力内容をHOKAN としてＲＡＭ３に記憶し（ステップＳ１０４）、保管担当者が入力されると入力内容をH-TANTOUとしてＲＡＭ３に記憶し（ステップＳ１０５）、さらに、出力目的が入力されると入力内容をMOKUTEKIとしてＲＡＭ３に記憶する（ステップＳ１０６）。
【０１３７】
そして、ＣＰＵ２は、ステップＳ１０１で指定された帳票、すなわち、帳票名がCYOUHYO としてＲＡＭ３に記憶された帳票を開き（ステップＳ１０７）、この帳票に対応する文書管理ファイル４ｋを参照し、最終更新日時を取得してMODY-DATE としてＲＡＭ３に記憶し、ステップＳ１０９に移行する（ステップＳ１０８）。
【０１３８】
ステップＳ１０９で、ＣＰＵ２は、セキュリティ帳票定義ファイル４ｈを参照して、DEV ，NAME，FORM，SEQ#FORM，GEN-PR，GEN-PR-MEN，GEN-PR-COLOR，GEN-PR-FONT ，GEN-PR-START，COP-PR，COP-PR-MEN，COP-PR-COLOR，COP-PR-FONT ，COP-PR-START等、各項目における設定値を取得する。
【０１３９】
その後、ＣＰＵ２は、ステップＳ１１０に移行して、取得したＲＡＭ３内のSEQ#FORMの設定値に基づいてセキュリティ地紋データを取得し、SEQ-FORMとして再度ＲＡＭ３に記憶し、ステップＳ１１１へ移行する。
【０１４０】
ステップＳ１１１で、ＣＰＵ２は、取得したＲＡＭ３内のFORMに設定されたフォームデータを取得し、CYO-FORMとして記憶し、ステップＳ１１２へ移行する。ステップＳ１１２では、SEQ-FORMとCYO-FORMとを合成して、印刷メモリ３１に記憶する。
【０１４１】
続いて、ステップＳ１１３で、ＣＰＵ２は文書管理ファイル４ｋを読み込み、ステップＳ１１４に移行して、SYUBETSUの設定値が「１」であるか否か、すなわち、原本の印刷を示しているか否かを判別する。
そして、原本の印刷を行う場合は（ステップＳ１１４；Ｙｅｓ）、ステップＳ１１５へ移行し、正規の複写を印刷する場合は（ステップＳ１１４；Ｎｏ）、ステップＳ１１７へ移行する。
【０１４２】
ステップＳ１１５で、ＣＰＵ２は、印刷する文字列をGEN-PRの設定値に設定し、印刷面をGEN-PR-MENに設定し、印刷色をGEN-PR-COLORに設定し、フォントをGEN-PR-FONT に設定し、印刷開始位置をGEN-PR-STARTに設定して、設定値を印刷メモリ３１に格納する。
【０１４３】
そして、ＣＰＵ２は、印刷に係る各種情報をもとに、文書管理ファイル４ｋの更新処理、および印刷処理を行い（ステップＳ１１６）、本処理を終了する。
【０１４４】
また、正規の複写を印刷する場合、ＣＰＵ２は、印刷する文字列をCOP-PRの設定値に設定し、印刷面をCOP-PR-MENに設定し、印刷色をCOP-PR-COLORに設定し、フォントをCOP-PR-FONT に設定し、印刷開始位置をCOP-PR-STARTに設定して、設定値を印刷メモリ３１に格納する（ステップＳ１１７）。
【０１４５】
その後、ＣＰＵ２は、印刷に係る各種情報をもとに文書管理ファイル４ｋの更新処理、および印刷処理を行い（ステップＳ１１８）、本処理を終了する。
【０１４６】
ここで、ステップＳ１１６における文書管理ファイル４ｋ更新・印刷処理について、図２７のフローチャートに基づいて説明する。
【０１４７】
図２７に示すフローチャートは、原本を印刷する場合の文書管理ファイル４ｋの更新・印刷処理を示している。
まず、ＣＰＵ２は、ステップＳ１０１で取得した帳票名CYOUHYO の設定値、および、ステップＳ１０８で取得した最終更新日時MODY-DATE の設定値をもとに、文書管理ファイル４ｋを索引する（ステップＳ１２１）。
【０１４８】
そして、該当するレコードの有無を判別し（ステップＳ１２２）、該当するレコードがあった場合は、そのまま本処理を終了する。また、該当するレコードが無い場合には、印刷カウントP-CNT に１を設定し（ステップＳ１２３）、続いて、区分KBN に１を設定する（ステップＳ１２４）。
【０１４９】
そして、ＣＰＵ２は、ステップＳ１２４で設定されたKBN ，P-CNT の設定値、および、印刷制御処理（図２５）で取得したH-TANTOU，MOKUTEKIの設定値を元に、文書管理ファイル４ｋに新たなレコードを記録して文書管理ファイル４ｋを更新し（ステップＳ１２５）、ステップＳ１２６へ移行する。
【０１５０】
ステップＳ１２６では、印刷メモリ３１内のデータをプリンタドライバへ出力して印刷を実行させ、本処理を終了する。
以上の処理により、必要な原本が印刷される毎に文書管理ファイル４ｋが更新され、また、既に印刷された原本が再び印刷されることがないので、不正な原本の印刷を抑止でき、帳票を容易に、かつ確実に管理できる。
【０１５１】
次に、ステップＳ１１９（図２６）における文書管理ファイル４ｋの更新処理について、図２８のフローチャートに基づいて説明する。
【０１５２】
図２８に示すフローチャートは、正規の複本を印刷する場合の文書管理ファイル４ｋの更新処理を示している。
まず、ＣＰＵ２は、ステップＳ１０１で取得した帳票名CYOUHYO の設定値、および、ステップＳ１０８で取得した最終更新日時MODY-DATE の設定値をもとに、文書管理ファイル４ｋを索引する（ステップＳ１３１）。
【０１５３】
そして、該当するレコードの有無を判別し（ステップＳ１３２）、該当するレコードがなければ、印刷カウントP-CNT に１を設定し（ステップＳ１３３）、後述するステップＳ１３５へ移行する。
また、該当するレコードがあった場合は、該レコードの印刷カウントP-CNT の値をインクリメント（＋１）し（ステップＳ１３４）、ステップＳ１３５へ移行する。
【０１５４】
ステップＳ１３５では、CYOUHYO の設定値をもとに、配布先テーブルファイル４ｉから配布先名の設定値を取得する。
【０１５５】
そして、ＣＰＵ２は、ステップＳ１３６へ移行し、取得した配布先名に含まれる「，」を区切りとして、配布先名の数を取得し、HAIHU-CNT に設定する。例えば、配布先テーブルファイル４ｉに、CYOUHYO の設定値に対応づけて「○○部長，××課長，△△係長，□□氏」のように設定されていた場合、ＣＰＵ２は、「，」を区切りと認識して、配布先の要素数を「４」と判別する。
【０１５６】
続いて、ＣＰＵ２は、P-CNT の値が、HAIHU-CNT の値を上回ったか否かを判別し（ステップＳ１３７）、P-CNT の値がHAIHU-CNT の値よりも大きい場合は、そのまま本処理を終了する。
【０１５７】
また、P-CNT の値が、HAIHU-CNT 以下であった場合（ステップＳ１３７；Ｎｏ）、ＣＰＵ２は、区分KBN に「２」を設定する（ステップＳ１３８）。
【０１５８】
そして、ＣＰＵ２は、ステップＳ１３７〜１３８で設定されたKBN ，P-CNT の設定値、および、印刷制御処理（図２５）で取得したH-TANTOU，MOKUTEKIの設定値を元に、文書管理ファイル４ｋに新たなレコードを記録して文書管理ファイル４ｋを更新する（ステップＳ１３９）。
【０１５９】
その後、ＣＰＵ２は、印刷メモリ３１内のデータをプリンタドライバへ出力して印刷を実行させ（ステップＳ１４０）、本処理を終了する。
【０１６０】
以上の処理によって、正規の複写は、配布先の数のみ印刷されるので、帳票の正規の複写についても、その印刷数を容易に、かつ確実に管理できる。
【０１６１】
図２９は、印刷制御処理（図２５）における入力画面の一例を示す図である。図２９に示す入力画面は、印刷制御処理に先だって、出力する帳票名、区分、出力担当者名、保管場所、保管担当者、出力目的等の各項目を入力する際に、表示部７により表示される画面である。オペレータは、この画面における指示に従って各項目を入力することにより、所望の帳票を出力させることができる。
【０１６２】
続いて、帳票出力装置１により印刷される帳票の例を図示して説明する。
図３０は、帳票出力装置１によって原本として印刷される帳票の例を示す図である。図３０中、符号Ｌで示すように、原本として印刷された帳票には、原本であることを証明する原本証明の文字列が印刷されている。図３０に示す例では「原本」となっている。
【０１６３】
前述のように、符号Ｌで示す原本証明の印刷色は、セキュリティ帳票定義ファイル４ｈ（図２４）に、GEN-PR-COLORとして設定された色であるが、例えば、透明や黄色等、複写機による読み取りが困難で、コピー時に消失しやすい色である。
【０１６４】
また、図３０に示す帳票には、符号Ｊで示す基本セキュリティ地紋、および、符号Ｋで示す隠しセキュリティ地紋が印刷されている。前述のように、基本セキュリティ地紋は、複写機によるコピーの際に消失し、隠しセキュリティ地紋は、複写機によるコピーの際に、明瞭に複写される。
【０１６５】
図３１は、帳票出力装置１によって正規の複写として印刷される帳票の例を示す図である。図３１中、符号Ｍで示すように、正規の複写として印刷された帳票には、正規の複写であることを証明する正規複写証明の文字列が印刷されており、図３１に示す例では「ＣＯＰＹ」となっている。
【０１６６】
また、前述のように、符号Ｍで示す正規複写証明の印刷色は、セキュリティ帳票定義ファイル４ｈ（図２４）に、COP-PR-COLORとして設定された色であるが、例えば、透明や黄色等、原本証明の印刷色と同様に、複写機による読み取りが困難でコピー時に消失しやすい色である。
【０１６７】
図３０および図３１に示す帳票を複写機によってコピーした例を、図３２に示す。図３２に示すように、原本、或いは正規の複写の帳票が複写機でコピーされた場合は、図３０に符号Ｌで示した原本証明、および、図３１に符号Ｍで示した正規複写証明のいずれも消失し、再現されない。
【０１６８】
そして、符号Ｊで示す基本セキュリティ地紋についても、コピー時に消失し、符号Ｋで示す隠しセキュリティ地紋のみが明瞭にコピーされる。このため、複写機によるコピーでは、正規でない複写物であることが明瞭なコピーのみが得られる。
【０１６９】
図３３には、正規の複写として印刷した帳票に、隠しセキュリティ地紋としてシステム日付を印刷した例を示す。
図３３の帳票には、符号Ｊで示す基本セキュリティ地紋、符号Ｋで示す隠しセキュリティ地紋の他、符号Ｎで示すシステム日付の隠しセキュリティ地紋が印刷されている。さらに、符号Ｍで示すように、正規複写証明の文字列が印刷されている。
【０１７０】
図３３に示す帳票を複写機でコピーした場合を、図３４に示す。
同図に示すように、図３３中、符号Ｊで示した基本セキュリティ地紋、および、符号Ｍで示した正規複写証明はコピー時に消失し、再現されていない。
【０１７１】
一方、図３３中に符号Ｋで示した隠しセキュリティ地紋が明瞭に印刷されており、さらに、符号Ｎで示すシステム日付の隠しセキュリティ地紋が明瞭に印刷される。
【０１７２】
従って、コピーにより得られた帳票は、複写機による不正な複写であることが明瞭であり、さらに、コピー元の原本となった帳票の印刷日時が明らかなので、より強く不正なコピーを牽制することができるとともに、不正なコピーの際に原本となった帳票を特定できる。
【０１７３】
図３５に、正規の複写として印刷した帳票に、隠しセキュリティ地紋として連番を印刷した例を示す。
図３５に示す帳票には、符号Ｊで示す基本セキュリティ地紋、符号Ｋで示す隠しセキュリティ地紋の他、符号Ｏで示す連番の隠しセキュリティ地紋が印刷されている。さらに、符号Ｍで示すように、正規複写証明の文字列が印刷されている。
【０１７４】
図３５に示す帳票を複写機でコピーした場合を、図３６に示す。
同図に示すように、図３５中、符号Ｊで示した基本セキュリティ地紋、および、符号Ｍで示した正規複写証明はコピー時に消失し、再現されていない。
【０１７５】
一方、図３５中に符号Ｋで示した隠しセキュリティ地紋が明瞭に印刷されており、さらに、符号Ｏで示す連番の隠しセキュリティ地紋が明瞭に印刷される。
【０１７６】
従って、コピーにより得られた帳票は、複写機による不正な複写であることが明瞭であり、さらに、コピー元の原本となった帳票の連番が明らかなので、より強く不正なコピーを牽制することができる。さらに、不正なコピーの際には、原本となった帳票と、その保管場所や管理担当者等の情報を、連番から容易に特定できる。
【０１７７】
以上のように、本発明の第２の実施の形態によれば、原本として印刷される帳票には、原本であることを示す原本証明の文字列を印刷し、正規の複写として印刷される帳票には、正規の複写であることを示す正規複写証明の文字列を印刷する。そして、原本証明の文字列および正規複写証明の文字列は、複写機によるコピー時に消失するように印刷される。また、帳票出力装置１により作成される帳票について、帳票名、最終更新日時、原本と正規複写の区分、出力担当者、保管場所等の管理情報を文書管理ファイル４ｋとして記憶し、この文書管理ファイル４ｋにおける内容に従って、原本証明の文字列および正規複写証明の文字列付きの帳票の印刷を制御することにより、原本としての帳票の印刷部数を１部に制限し、正規の複写としての帳票の印刷部数は、配布先の数に制限する。
【０１７８】
従って、文書管理ファイル４ｋを記憶することにより、セキュリティ地紋付きの帳票を容易に管理することができ、特に、帳票出力装置１において文書管理ファイル４ｋを記憶することで、人手により管理を行う場合に比べて、記録のミスや意図的な情報の改変を強固に防止でき、確実に帳票を保護できる。
また、原本証明の文字列および正規複写証明の文字列を印刷することで、原本および正規の複写であることを証明する一方、原本と正規の複写の印刷部数を制限するので、複写機によるコピーを牽制し、かつ、帳票出力装置１による余分な印刷を防止して、確実に印刷データを保護し、信頼性を高めることができる。
【０１７９】
特に、原本および正規の複写の印刷時には文書管理ファイル４ｋの内容を更新し、印刷部数を、文書管理ファイル４ｋにおける内容をもとに制限するので、時間の経過や処理の分散等の作為に影響されることなく、確実に制限を行える。
【０１８０】
なお、以上の第２の実施の形態においては、原本証明の文字列および正規複写証明の文字列を、セキュリティ帳票定義ファイル４ｈに設定された印刷色で印刷するものとしたが、本発明はこれに限定されるものではなく、隠しセキュリティ地紋の一部として印刷するようにしてもよいし、或いは、セキュリティ地紋とは離れた印刷位置において、基本セキュリティ地紋や隠しセキュリティ地紋と同様の印刷色、模様で印刷するようにしても良い。さらに、印刷対象の帳票名や種別、担当者名等を入力部８により入力する構成としたが、特定の入力手段或いは入力方法に基づく入力のみ受け付ける構成としても良い。
【０１８１】
また、文書管理ファイル４ｋにおける設定項目もあくまで一例を示すもので、その構成は任意であり、その他、具体的な細部構成についても適宜に変更可能であることは勿論である。
【図面の簡単な説明】
【０１８２】
【図１】本発明を適用した第１の実施の形態における帳票出力装置１の構成を示すブロック図である。
【図２】図１に示す印刷メモリ３１内の構成を詳細に示す図である。
【図３】図１に示す記憶装置４内のファイル構成を詳細に示す図である。
【図４】図３に示す各ファイルの構成を模式的に示す図であり、（ａ）はセキュリティパターンＡファイル４ｆを示し、（ｂ）はセキュリティパターンＢファイル４ｇを示し、（ｃ）は隠しセキュリティ地紋に用いられる模様の一例を示す。
【図５】図３に示すセキュリティ帳票定義ファイル４ｈの構成を模式的に示す図である。
【図６】図３に示す各ファイルの構成を模式的に示す図であり、（ａ）は配布先テーブルファイル４ｉを示し、（ｂ）は連番管理テーブルファイル４ｊを示す。
【図７】図１に示す帳票出力装置１の動作と図３に示す記憶装置４内の各ファイルとの関連を示す図である。
【図８】図１の帳票出力装置１により実行されるセキュリティ地紋生成処理を示すフローチャートである。
【図９】図１の帳票出力装置１により実行される印刷制御処理を示すフローチャートである。
【図１０】図９のステップＳ３０における個別セキュリティ地紋生成処理を、連番を利用して行う例を示すフローチャートである。
【図１１】図９のステップＳ３０における個別セキュリティ地紋生成処理を、配布先の名称を利用して行う例を示すフローチャートである。
【図１２】図９のステップＳ３０における個別セキュリティ地紋生成処理を、システム日付を利用して行う例を示すフローチャートである。
【図１３】本第１の実施の形態におけるセキュリティ地紋の例を示す図であり、（ａ）は帳票出力装置１により帳票上に印刷されるセキュリティ地紋を示し、（ｂ）は、（ａ）に示すセキュリティ地紋を複写機によりコピーした場合を示す。
【図１４】図１３（ａ）に示すセキュリティ地紋の要部拡大図である。
【図１５】本第１の実施の形態において印刷出力される帳票のフォームデータの例を示す図である。
【図１６】本第１の実施の形態において印刷出力される帳票のセキュリティ地紋の例を示す図である。
【図１７】図１５に示すフォームデータと図１６に示すセキュリティ地紋とを合成して得られる合成フォームの例を示す図である。
【図１８】本第１の実施の形態において印刷出力される帳票の印刷データの例を示す図である。
【図１９】図１７に示す合成フォームと図１８に示す印刷データとを印刷して得られる帳票の例を示す図である。
【図２０】図１９に示す帳票を複写機でコピーした場合を示す図である。
【図２１】本第１の実施の形態において印刷出力される帳票の例を示す図であり、（ａ）および（ｂ）は配布先の名称をもとに個別セキュリティ地紋が印刷された帳票の例を示す。
【図２２】図２１（ａ）および（ｂ）に示す帳票を複写機でコピーした場合を示す図である。
【図２３】本発明の第２の実施の形態における文書管理ファイル４ｋの構成を模式的に示す図である。
【図２４】本第２の実施の形態におけるセキュリティ帳票定義ファイル４ｈの構成を模式的に示す図である。
【図２５】本第２の実施の形態における印刷制御処理を示すフローチャートである。
【図２６】本第２の実施の形態における印刷制御処理を示すフローチャートである。
【図２７】図２６のステップＳ１１６で実行される文書管理ファイル４ｋの更新・印刷処理を詳細に示すフローチャートである。
【図２８】図２６のステップＳ１１８で実行される文書管理ファイル４ｋの更新・印刷処理を詳細に示すフローチャートである。
【図２９】図２５に示す印刷制御処理において表示部７により表示される入力画面の一例を示す図である。
【図３０】本第２の実施の形態において原本として印刷出力される帳票の例を示す図である。
【図３１】本第２の実施の形態において正規の複写として印刷出力される帳票の例を示す図である。
【図３２】図３０および図３１に示す帳票を複写機でコピーした場合を示す図である。
【図３３】本第２の実施の形態において正規の複写として印刷出力される帳票の例を示す図である。
【図３４】図３３に示す帳票を複写機でコピーした場合を示す図である。
【図３５】本第２の実施の形態において正規の複写として印刷出力される帳票の例を示す図である。
【図３６】図３５に示す帳票を複写機でコピーした場合を示す図である。
【符号の説明】
【０１８３】
１  帳票出力装置
２  ＣＰＵ
３  ＲＡＭ
３１  印刷メモリ
３ａ  印刷データメモリ
３ｂ  フォームデータメモリ
３ｃ  地紋データメモリ
４  記憶装置
４ａ  業務アプリケーションファイル
４ｂ  プログラムファイル
４ｃ  帳票フォームデータファイル
４ｄ  セキュリティ地紋データファイル
４ｅ  印刷データファイル
４ｆ  セキュリティパターンＡファイル
４ｇ  セキュリティパターンＢファイル
４ｈ  セキュリティ帳票定義ファイル
４ｉ  配布先テーブルファイル
４ｊ  連番管理テーブルファイル
４ｋ  文書管理ファイル
５  記憶媒体
６  印刷装置
７  表示部
８  入力部
９  伝送制御部
１０  バス
【図１】
2006319994.tif 000003
【図２】
2006319994.tif 000004
【図３】
2006319994.tif 000005
【図４】
2006319994.tif 000006
【図５】
2006319994.tif 000007
【図６】
2006319994.tif 000008
【図７】
2006319994.tif 000009
【図８】
2006319994.tif 000010
【図９】
2006319994.tif 000011
【図１０】
2006319994.tif 000012
【図１１】
2006319994.tif 000013
【図１２】
2006319994.tif 000014
【図１３】
2006319994.tif 000015
【図１４】
2006319994.tif 000016
【図１５】
2006319994.tif 000017
【図１８】
2006319994.tif 000018
【図２０】
2006319994.tif 000019
【図２１】
2006319994.tif 000020
【図２２】
2006319994.tif 000021
【図２３】
2006319994.tif 000022
【図２４】
2006319994.tif 000023
【図２５】
2006319994.tif 000024
【図２６】
2006319994.tif 000025
【図２７】
2006319994.tif 000026
【図２８】
2006319994.tif 000027
【図２９】
2006319994.tif 000028
【図３０】
2006319994.tif 000029
【図３１】
2006319994.tif 000030
【図３２】
2006319994.tif 000031
【図３３】
2006319994.tif 000032
【図３４】
2006319994.tif 000033
【図３５】
2006319994.tif 000034
【図３６】
2006319994.tif 000035
【図１６】
2006319994.tif 000036
【図１７】
2006319994.tif 000037
【図１９】
2006319994.tif 000038